(57)【要約】  本発明は、少なくとも部分的に導電性の基部構造体と、基部構造体において空間的に分散した複数の導電性のマイクロメートルサイズの部分と、を有する電界放射陰極に関し、複数のマイクロメートルサイズの部分の少なくとも一部分には、それぞれ、複数の導電性ナノ構造体が設けられている。本発明の利点は、例えば、電界放射陰極を有する電界放射照明構成の電力消費量の低減及び光出力の増大を含む。【選択図】図１
2013524452.tif 000002
【特許請求の範囲】
【請求項１】
少なくとも部分的に導電性の基部構造体と、
前記基部構造体において空間的に分散した複数の導電性のマイクロメートルサイズの部分と、を有し、
前記複数のマイクロメートルサイズの部分の少なくとも一部分には、それぞれ、複数の導電性のナノ構造体が設けられている、
ことを特徴とする電界放射陰極。
【請求項２】
前記ナノ構造体は、導電性の酸化物、ホウ化物、窒化物、炭化物、金属合金、ケイ化物のうちの少なくとも１つからなるナノ構造体を有する、請求項１に記載の電界放射陰極。
【請求項３】
前記ナノ構造体は、ＺｎＯナノ構造体を有する、請求項１に記載の電界放射陰極。
【請求項４】
前記マイクロメートルサイズの部分は、少なくとも３：１のアスペクト比を有する、請求項１乃至３のいずれか一項に記載の電界放射陰極。
【請求項５】
前記基部構造体は、ワイヤを有する、請求項１乃至４のいずれか一項に記載の電界放射陰極。
【請求項６】
前記基部構造体は、グリッドと、穿孔された又は非中空の薄いシートのうちの少なくとも１つを有する、請求項１乃至４のいずれか一項に記載の電界放射陰極。
【請求項７】
前記マイクロメートルサイズの部分は、前記複数のマイクロメートルサイズの部分の平均直径を上回る距離によって分散している、請求項１乃至６のいずれか一項に記載の電界放射陰極。
【請求項８】
前記複数のマイクロメートルサイズの部分の少なくとも一部分は、５〜５００マイクロメートルの直径と、最大で１０ミリメートルの長さと、を有する多角形又は円形柱状体の形状を有する、請求項１乃至５のいずれか一項に記載の電界放射陰極。
【請求項９】
前記複数のマイクロメートルサイズの部分の少なくとも一部分は、導電性又は半導体性の光学的に透明な又は反射性の材料を有する、請求項１乃至８のいずれか一項に記載の電界放射陰極。
【請求項１０】
前記複数のナノ構造体の少なくとも一部分は、５〜５００ナノメートルの直径と、最大で５００ナノメートルの長さと、を有する多角形又は円形柱状体の形状を有する、請求項１乃至９のいずれか一項に記載の電界放射陰極。
【請求項１１】
陽極構造体と、
前記陽極、及び請求項１乃至１０のいずれか一項に記載の電界放射陰極がその内部に配置される真空排気されたエンベロープと、
を有する、電界放射構成。
【請求項１２】
前記陽極構造体は、蛍光体層によって少なくとも部分的にカバーされており、且つ、前記陽極構造体は、反射性の被覆を有する熱伝導性材料を有する、請求項１１に記載の電界放射構成。
【請求項１３】
前記陽極構造体は、電圧が前記陽極構造体と前記電界放射陰極の間に印加された際に前記電界放射陰極によって放出される電子を受け取り、且つ、前記蛍光体層によって生成される光を前記真空排気されたエンベロープから外部に反射するように、構成されている、請求項１１又は１２に記載の電界放射構成。
【請求項１４】
前記電界放射陰極及び前記陽極構造体に接続されると共に前記の電界放射照明構成に電力供給するための駆動信号を供給するように構成された電源を更に有し、前記駆動信号は、第１周波数を有し、前記第１周波数は、前記電界放射照明構成の共振状態における電力半値幅に対応する範囲内となるように、選択される、請求項１１乃至１３のいずれか一項に記載の電界放射構成。
【請求項１５】
前記の電界放射構成は、電界放射光源、電界放射ディスプレイ、Ｘ線源のうちの少なくとも１つに含まれる。請求項１１乃至１４のいずれか一項に記載の電界放射構成。
【発明の詳細な説明】
【技術分野】
【０００１】
本発明は、電界放射陰極の構成に関し、特に、電界放射照明構成用の陰極に関する。
【背景技術】
【０００２】
現在、従来の電球をよりエネルギー効率に優れた代替物に置き換える傾向にある。従来の電球に似た形態の蛍光光源も、既に登場しており、且つ、しばしば、電球形蛍光灯（Ｃｏｍｐａｃｔ  Ｆｌｕｏｒｅｓｃｅｎｔ  Ｌａｍｐ：ＣＦＬ）と呼ばれている。周知のように、すべての蛍光光源は、少量の水銀を含んでおり、水銀への曝露による健康への影響に起因した問題をもたらす。更には、水銀の廃棄に伴う厳格な規制に起因し、蛍光光源のリサイクルは、複雑化し、且つ、費用を要する。
【０００３】
従って、蛍光光源の代替物の提供に対する要望が存在している。このような代替物の一例が国際特許出願公開第２００５／０７４００６号パンフレットに記載されており、水銀又はその他の健康に有害な物質を含んでいない電界放射光源について開示している。この電界放射光源は、陽極と、陰極と、を含み、陽極は、円筒形のガラス管の内側表面上に被覆された透明な導電性層及び蛍光体層から構成されている。蛍光体は、電子によって励起された際に発光する。電子放出は、陽極と陰極の間の電圧によって生じる。大量の光放出を実現するには、４〜１２ｋＶの範囲の電圧を印加することが望ましい。
【発明の概要】
【発明が解決しようとする課題】
【０００４】
国際特許出願公開第２００５／０７４００６号パンフレットに開示されている電界放射光源は、相対的に環境フレンドリーな照明に対する将来的に有望なアプローチを提供しており、例えば、水銀の使用が不要である。但し、寿命を延長させると共に／又はランプの発光効率を向上させるために、ランプの設計を今後も改善することが望ましい。
【課題を解決するための手段】
【０００５】
本発明の一態様によれば、上述の目的は、少なくとも部分的に導電性の基部構造体と、この基部構造体において空間的に分散した複数の導電性のマイクロメートルサイズの部分と、を有し、複数のマイクロメートルサイズの部分の少なくとも一部分には、それぞれ、複数の導電性ナノ構造体が設けられている電界放射陰極により、少なくとも部分的に充足されている。
【０００６】
本明細書の文脈において、ナノ構造体という用語は、１００ナノメートル（ｎｍ）以下の１つ又は複数の寸法を有する構造体要素及びこのような要素の空間的な構成を意味するものと理解されたい。ナノ構造体という用語は、ナノチューブ、ナノ球体、ナノロッド、ナノファイバ、及びナノワイヤを含み、ナノ構造体は、ナノネットワークの一部分であってもよい。更には、ナノ球体という用語は、最大で３：１のアスペクト比を有するナノ構造体を意味しており、ナノロッドという用語は、最大で２００ｎｍの最長寸法を有すると共に３：１〜２０：１のアスペクト比を有するナノ構造体を意味しており、ナノファイバという用語は、２００ｎｍを上回る最長寸法を有すると共に２０：１を上回るアスペクト比を有するナノ構造体を意味しており、且つ、ナノワイヤという用語は、１，０００ｎｍを上回る最長寸法を有するナノファイバを意味している。
【０００７】
ナノ構造体との関係における更なる定義には、アスペクト比という用語も含まれ、これは、物体の最短軸に対する物体の最長軸の比率を意味しており、これらの軸は、必ずしも垂直ではない。断面の幅という用語は、断面の最長寸法であり、且つ、断面の高さは、幅に対して垂直の寸法である。ナノネットワークという用語は、相互接続された複数の個別のナノ構造体を意味している。
【０００８】
基本的に平らな表面上に成長したナノ構造体を有する従来技術による構成と比べた場合に、本発明によるナノ構造体は、その代わりに、空間的に分散したマイクロメートルサイズの部分上に設けられている。この結果、例えば、この電界放射陰極が電界放射用途に使用された際に、電子放出の改善が可能になるという利点が得られる。この改善された電子放出は、個々のナノ構造体のそれぞれのナノ構造体の長さが、マイクロメートルサイズの部分に配列されたナノ構造体との組合せにおいて、マイクロメートルサイズの部分が提供する全体長に対して及ぼす影響が小さいという事実に由来している。従って、マイクロメートルサイズの部分が、合計長に対する主要寄与者となり、且つ、ナノ構造体は、基本的に、電界放射の用途において大量の電子放出を実現するために重要な鋭い先端部をマイクロメートルサイズの部分に提供するのみとなる。又、電子放出を改善することにより、その電界放射陰極が電界放射構成に含まれる場合には、電力消費量が低減され、これにより、その電界放射構成が電界放射光源及び／又は電界放射ディスプレイである場合には、光出力の増大が更に実現される。
【０００９】
電子放出の改善を実現するために、ナノ構造体は、好ましくは、導電性の酸化物、ホウ化物、窒化物、炭化物、金属合金、ケイ化物のうちの少なくとも１つからなるナノ構造体を有する。最も好ましくは、ナノ構造体は、ＺｎＯナノ構造体を有する。又、複数のナノ構造体の少なくとも一部分は、５〜５００ナノメートルの直径と、最大で５００ナノメートルの長さと、を有する多角形又は円形柱状体の形状を有する。
【００１０】
少なくとも部分的に導電性の基部構造体は、マイクロメートルサイズの部分に接続する相互接続されたアドレス指定可能な導体のマトリックス（又は、ネットワーク）を有してもよい。導体の間には、例えば、マイクロメートルサイズの部分のグループ又は「クラスタ」を個別にアドレス指定できるようにする絶縁セグメントを設けてもよい。基部構造体は、想定される特定の用途に応じて、様々な形態において設けてもよく、例えば、ワイヤを有するように構成したり、或いは、グリッドと穿孔された又は非中空の薄いシートのうちの少なくとも１つを有するように設けられてもよい。
【００１１】
前述のように、マイクロメートルサイズの部分は、基部構造体において空間的に分散している。好ましくは、電子放出を改善するために、マイクロメートルサイズの部分は、複数のマイクロメートルサイズの部分の平均直径を上回る距離によって分散している。マイクロメートルサイズの部分の形状は、好ましくは、複数のマイクロメートルサイズの部分の少なくとも一部分が、５〜５００マイクロメートルの直径と、最大で１０ミリメートルの長さと、を有するか、又は少なくとも３：１のアスペクト比を少なくとも有する多角形又は円形柱状体の形状を有するように、選択される。
【００１２】
想定される用途に応じて、複数のマイクロメートルサイズの部分の少なくとも一部分は、好ましくは、導電性又は半導体性の光学的に透明な又は反射性の材料を有する。
【００１３】
本発明による電界放射陰極は、例えば、透明なガラス部分を有する容器の形態の陽極構造体及び真空排気されたエンベロープを有する前述の電界放射陰極に加えて、好ましくは、電界放射構成の一部分を形成している。この電界放射構成は、例えば、電界放射光源、電界放射ディスプレイ、Ｘ線源のうちの少なくとも１つに含まれてもよい。
【００１４】
電界放射陰極及び陽極構造体は、いずれも、真空排気されたエンベロープの内部に配置される。更には、陽極構造体は、好ましくは、蛍光体層によって少なくとも部分的にカバーされてもよく、且つ、反射性の被覆を有する熱伝導性材料を有してもよい。このような構成については、例えば、本出願人が欧州特許出願第０９１８０３３９号明細書において開示しており、この内容は、本引用により、そのすべてが本明細書に包含される。
【００１５】
更には、陽極構造体は、好ましくは、電圧が陽極構造体と電界放射陰極の間に印加された際に、電界放射陰極によって放出される電子を受け取り、且つ、蛍光体層によって生成された光を真空排気されたエンベロープから外部に、例えば、前述の容器のガラス部分を通じて、反射するように、構成されている。電圧は、好ましくは、２〜１２ｋＶの範囲である。
【００１６】
電圧は、例えば、電界放射構成と共に（例えば、電界放射構成が電界放射光源である場合には、ソケット内に）又はその近傍に配置されるなどのように、例えば、電界放射構成と共に設けられた電源によって供給してもよい。電源は、電界放射陰極及び陽極構造体に接続してもよく、且つ、電界放射照明構成に電力供給するための駆動信号を供給するように構成してもよい。駆動信号には、第１周波数を提供してもよく、この場合に、第１周波数は、電界放射照明構成の共振状態における電力半値幅に対応する範囲内となるように、選択される。本発明によれば、電界放射照明構成の共振状態における電力半値幅が実現されるような第１周波数の選択とは、第１周波数が電界放射照明構成の共振周波数の中心に位置し、且つ、合計電力の半分が含まれるような範囲を有するように、選択されることを意味するものと理解されたい。換言すれば、第１周波数は、駆動信号がその振幅の最大値のちょうど半分を上回る電力を有する周波数の範囲内のどこかに位置するように、選択される。これについては、本出願人が欧州特許出願第０９１８０１５５号明細書において更に記述しており、この内容は、本引用により、そのすべてが本明細書に包含される。
【００１７】
本発明の更なる特徴及び本発明に伴う利点については、添付の請求項及び以下の説明を参照することにより、明らかとなろう。当業者は、本発明の範囲を逸脱することなしに、本発明の様々な特徴を組み合わせて以下に記述されているもの以外の実施例を生成してもよいことを認識するであろう。
【００１８】
その特定の特徴及び利点を含む本発明の様々な態様については、以下の詳細な説明及び添付の図面から容易に理解することができよう。
【図面の簡単な説明】
【００１９】
【図１】本発明による電界放射陰極の一般的な概念を示す。
【図２ａ】本発明の電界放射陰極の異なる概念的な実施形態を示す。
【図２ｂ】本発明の電界放射陰極の異なる概念的な実施形態を示す。
【図２ｃ】電界放射陰極の詳細な図を示す。
【図３ａ】本発明の現時点において好適な実施形態による電界放射陰極を有する放射照明構成の異なる実施形態を示す。
【図３ｂ】本発明の現時点において好適な実施形態による電界放射陰極を有する放射照明構成の異なる実施形態を示す。
【図４】電界放射照明構成の別の実施形態を示す。
【発明を実施するための形態】
【００２０】
以下、本発明の現時点において好適な実施形態が示されている添付図面を参照し、本発明について更に詳細に説明することとする。但し、本発明は、多数の異なる形態において実施してもよく、且つ、本明細書に記述されている実施形態に限定されるものと解釈してはならず、むしろ、これらの実施形態は、徹底性及び完全性を目的として提供されており、且つ、本発明の範囲を当業者に対して十分に伝達するものである。添付図面においては、同一の参照符号によって同一の要素を示している。
【００２１】
まず、添付図面、特に図１を参照すれば、本発明による電界放射陰極１００の一般的な概念が示されている。電界放射陰極１００は、少なくとも部分的に導電性の基部構造体１０２と、この基部構造体１０２から延在し、且つ、好ましくは（但し、必須ではない）多角形又は円形の柱状体として形成された複数の導電性を有すると共に離隔したマイクロメートルサイズの部分１０４と、を有する。マイクロメートルサイズの部分１０４の好ましくはそれぞれの部分の先端には、複数の導電性ナノ構造体１０６が設けられている。ナノ構造体１０６は、マイクロメートルサイズの部分１０４の先端のみならず、例えば、柱状体の形状のマイクロメートルサイズの部分１０４の側部にも、且つ、マイクロメートルサイズの部分１０４の間の空間（例えば、基部構造体１０４上）にも、設けることができる。
【００２２】
前述のように、マイクロメートルサイズの部分１０４は、好ましくは、５〜５００マイクロメートルの直径と、最大で１０ミリメートルの長さと、を有し、或いは、少なくとも３：１のアスペクト比を少なくとも有する。マイクロメートルサイズの部分１０４は、基部構造体１０２から直角に延在してもよく、或いは、図１に示されているように、わずかに異なる角度において基部構造体１０２から延在してもよい。又、マイクロメートルサイズの部分１０４それ自体も、（長さの観点において）まっすぐであってもよく、且つ／又は、わずかに湾曲していてもよい。当然のことながら、異なる組合せが、可能であり、且つ、本発明の範囲に含まれる。
【００２３】
ナノ構造体１０６は、好ましくは、ＺｎＯナノ構造体であるか、或いは、これを少なくとも有し、且つ、基部構造体１０２及びマイクロメートルサイズの部分１０４用の材料選択との組合せにおいて適切な従来の既知の成長法のうちのいずれかを使用してマイクロメートルサイズの部分１０４上に成長させる。これに加えて又はこの代わりに、ナノ構造体１０６は、導電性の酸化物、ホウ化物、窒化物、炭化物、金属合金、ケイ化物のうちの少なくとも１つからなるナノ構造体を有してもよい。更には、複数のナノ構造体の少なくとも一部分は、５〜５００ナノメートルの直径と、最大で５００ナノメートルの長さと、を有する多角形又は円形柱状体の形状を有する。
【００２４】
図２は、本発明による電界放射陰極の２つの概念的な実施形態を示している。図２ａに示されている第１実施形態は、この実施形態においてはツイストワイヤ２０４の形態の基部構造体１０２を有する電界放射陰極２０２を示している。ツイストワイヤ２０４の間には、この実施形態においては、例えば、金属からなる複数のマイクロメートルサイズの（好ましくは、ツイストワイヤ２０４よりも細い）導電性トレッド（ｔｒｅａｄ）２０６の形態の複数のマイクロメートルサイズの部分１０４が設けられている。導電性トレッド２０６の外側先端上には、ＺｎＯナノ構造体２０８などのナノ構造体が設けられている（図２ａにおいては観察できない）。
【００２５】
図２ｂに示されている本発明による電界放射陰極２１０の第２実施形態は、例えば、導電性トレッド２０６からなると共に１０〜１００本の導電性トレッド２０６にグループ化されたマイクロメートルサイズの部分の「クラスタ」２１４が設けられた平らな基部構造体２１０を示している。当然のことながら、更に大きな又は更に小さなクラスタ２１４を設けてもよい。図２ａと同様に、図２ｂの導電性トレッド２０６には、ＺｎＯナノ構造体２０８が設けられている（図２ｂにおいては観察できない）。但し、当然のことながら、ＺｎＯナノ構造体２０８は、異なる方向に延在してもよい。
【００２６】
但し、図２ｃにおいては、導電性トレッド２０６の先端部に配置されたＺｎＯナノ構造体２０８の詳細な図を観察することができる。観察されるように、ＺｎＯナノ構造体２０８は、マイクロメートルサイズの部分２０６の延在方向と基本的に同一の方向に延在している。
【００２７】
マイクロメートルサイズの部分１０４／２０６は、基部構造体１０２／２０４／２１２と少なくとも部分的に同一の材料から製造されてもよく、且つ、基部構造体１０２／２０４／２１２からの直接的な材料の延在部であってもよいことに留意されたい。その他の実施形態においては、マイクロメートルサイズの部分１０４／２０６は、基部構造体１０２／２０４／２１２以外の材料から製造されてもよく、この場合には、基部構造体１０２／２０４／２１２は、例えば、部分的にのみ、導電性であってもよく、マイクロメートルサイズの部分１０４／２０６は、完全に導電性を有する。当然のことながら、反対の組合せも可能であろう。即ち、基部構造体１０２／２０４／２１２を導体と絶縁体の混合物から構成し、これにより、例えば、マイクロメートルサイズの部分１０４／２０６の別個のクラスタを、個別にアドレス指定可能とし、且つ、これにより、電界放射用途において個別に制御可能としてもよい。
【００２８】
次に、図３ａ及び図３ｂを参照すれば、これらは、本発明の現時点において好適な実施形態による２つの異なる概念的な電界放射照明用途を示しており、図３ａに示されている電界放射照明用途３０２は、真空排気された円筒形のガラス管３０６などの透明なエンベロープ上に設けられたＩＴＯ層３０４などの透明な電界放射陽極を使用するという概念に基づいている。光を放出するために、蛍光体３０８の層が、図２ａに示されている電界放射陰極２０２との関係において、且つ、その上方に向かう方向において、ＩＴＯ層３０４の内部に設けられている。この電界放射照明構成３０２は、基部３１０と、ソケット３１２と、を更に有しており、この結果、例えば、従来の電球を置換するために、電界放射照明構成３０２を使用できるようになっている。基部３１０は、好ましくは、陰極２０２に対する駆動信号（即ち、高電圧）を制御するための制御ユニットを有する。
【００２９】
電界放射照明用途３０２の動作の際には、電界が、陰極２０２と、例えば、ＩＴＯ層３０４である陽極層の間に印加される。この電界の印加により、陰極２０２は、電子を放出し、これらの電子は、蛍光体層３０８に向かって加速される。蛍光体層３０８は、放出された電子が蛍光体層３０８の蛍光体粒子と衝突した際に、発光することになる。蛍光体層３０８から提供される光は、透明なＩＴＯ／陽極層３０４及びガラス円筒体３０６を透過することになる。この光は、好ましくは、白色であるが、当然のことながら、有色光も、可能であり、且つ、本発明の範囲に含まれる。又、光は、ＵＶ光であってもよい。
【００３０】
図３ｂに示されている第２のタイプの電界放射照明用途３１４においては、図３ａの電界放射照明用途３０２に類似した電界放射照明用途３１４は、１つ又は複数の電界放射陰極２０２を有する。１つ又は複数の陰極２０２は、類似した真空排気された円筒形のガラス管３０６内に配置され、且つ、基部３１０と、ソケット３１２と、をも有する。但し、電界放射照明用途３１４の概念は、透明になるように陽極層を構成するのではなく、光の反射に基づいている。その代わり、陽極３１６は、円筒形のガラス管３０６内において基本的に中心に配置されており、且つ、反射性の被覆が設けられている（或いは、金属を有するか又は金属構造体から製造されるなどのように、反射性の材料から構成されている）。次いで、陽極３１６上には、図３ａとの関係において前述した蛍光体層３０８と同一の特性を有する蛍光体層３１８が設けられる。図３ｂに示されている電界放射照明用途３１４の反射性の陽極の概念については、先程引用した欧州特許出願第０９１８０３３９号明細書に更に詳細に記述されている。
【００３１】
従って、電界放射照明用途３１４の動作の際に、陽極３１６は、図３ａに示されている電界放射照明用途３０２と同様に光を透過させるのではなく、光を反射させるようになっている。この結果、例えば、動作の際の大量の熱放散が実現される。熱は、陽極３１６を離れて、熱浴（ｔｈｅｒｍａｌ  ｂａｔｈ）として機能する陽極接点まで伝導されることになる。
【００３２】
最後に、図４には、図２ｂとの関係において示されている概念に基づいた電界放射陰極を有する概念的な平らな電界放射照明構成４００が示されている。基本的に、平らな電界放射照明構成４００は、図３ａに示されているように、層状構造を有しており、例えば、ガラス層４０２（類似した特性を有する材料も、当然、可能であり、且つ、本発明の範囲に含まれる）などの透明層、ＩＴＯ層４０４などの透明陽極層、及び蛍光体層４０６を有する。
【００３３】
電界放射陰極は、導電性を有すると共に恐らくはアドレス指定可能であるマトリックス基部構造を有してもよく、この場合には、図２ｂと同様の方式で設けられたマイクロメートルサイズの部分２０６の複数のクラスタ２１４が配置されている。そして、マイクロメートルサイズの部分２０６には、複数のナノ構造体が設けられており、例えば、ＺｎＯナノ構造体を有する。
【００３４】
平らな電界放射照明構成４００の動作は、図３ａの電界放射照明構成３０２に類似しているが、蛍光体層は、分割されてもよく、且つ、異なる色の光を放出する異なるタイプの蛍光体を有してもよい。又、前述のように、基部構造体は、アドレス指定可能なマトリックスタイプのものであってもよく、且つ、分割された蛍光体層４０６と共に、例えば、同時に、異なる色の光を放出するために使用してもよい。従って、平らな電界放射照明構成４００は、多色ディスプレイとして使用してもよい。
【００３５】
本発明については、その特定の例示用の実施形態を参照して説明したが、当業者には、多数の異なる変更、修正、及びこれらに類似したものが明らかとなろう。当業者は、図面、開示内容、及び添付の請求項を参照することにより、特許請求されている発明を実施する際に、開示されている実施形態の変形について理解することが可能であり、且つ、それらを実現することができる。更には、請求項において、「有する」という用語は、その他の要素又はステップを排除するものではなく、且つ、単数を表す不定冠詞（「ａ」又は「ａｎ」）は、複数形を排除するものではない。
【図１】
2013524452.tif 000003
【図２ａ−２ｃ】
2013524452.tif 000004
【図３ａ】
2013524452.tif 000005
【図３ｂ】
2013524452.tif 000006
【図４】
2013524452.tif 000007
【国際調査報告】
2013524452.tif 000008
2013524452.tif 000009
2013524452.tif 000010